【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられ、遊技球が入球可能な始動口と、
前記始動口への入球を契機として、通常遊技より遊技者に有利な状態である特別遊技へ移行するか否かを判定するための当否抽選を実行する当否抽選手段と、
前記当否抽選が前記特別遊技へ移行する結果となった場合に前記特別遊技を実行する特別遊技制御手段と、
前記当否抽選の結果を示すための図柄が変動表示される図柄表示装置と、
前記当否抽選の結果と前記図柄の変動過程が定められた変動パターンとの対応関係が互いに異なる複数の変動パターンテーブルを保持し、前記複数の変動パターンテーブルのうち一つを参照して、前記当否抽選の結果に対応する変動パターンを選択する変動パターン決定手段と、
選択された変動パターンにしたがって前記図柄を前記図柄表示装置にて変動表示させる図柄制御手段と、
前記特別遊技の終了後から前記当否抽選の回数が所定の第１の終期回数に達するまで、あらたに前記特別遊技を獲得する容易性が通常状態より有利となる状態である特定遊技状態に移行させる特定遊技実行手段と、
前記図柄の変動表示中に実行すべき演出内容が各々定められた複数の演出パターンを保持するパターン記憶手段と、
前記変動パターンと前記図柄の変動表示中に実行すべき演出パターンとの対応関係が各々定められた複数の演出パターンテーブルのうち一つを参照して、前記当否抽選の結果を示す前記図柄の変動表示中に実行すべき演出パターンを選択する演出決定手段と、
決定された演出パターンにしたがって演出を実行する演出実行手段と、
を備え、
前記複数の演出パターンテーブルは、前記通常状態において参照される通常演出パターンテーブルと、前記通常演出パターンテーブルとは演出パターンの選択傾向が異なるよう前記変動パターンと演出パターンとの対応関係が定められた特定演出パターンテーブルと、を含み、
前記演出決定手段は、第１の終期回数以下の範囲で第２の終期回数を設定するとともに、前記特別遊技の終了後から前記特定演出パターンテーブルを参照して演出パターンを選択する特定演出状態とし、前記図柄の変動回数が第２の終期回数に達したときと、前記当否抽選が前記特別遊技へ移行する結果となったときと、のうち早い方となったとき、前記特定演出状態を終了させ、
前記特定演出パターンテーブルは、第１特定演出パターンテーブルと第２特定演出パターンテーブルとを含み、
前記演出決定手段は、前記特定演出状態において、前記特別遊技の終了後から前記図柄の変動回数が所定回数に達するまでは前記第１特定演出パターンテーブルを参照して演出パターンを選択し、前記図柄の変動回数が前記所定回数に達してから第２の終期回数に達するまでは前記第２特定演出パターンテーブルを参照して演出パターンを選択することを特徴とする弾球遊技機。
【手続補正２】
【補正対象書類名】明細書
【補正対象項目名】０００６
【補正方法】変更
【補正の内容】
【０００６】
上記課題を解決するために、本発明のある態様の弾球遊技機は、遊技領域が形成された遊技盤と、遊技領域の所定位置に設けられ、遊技球が入球可能な始動口と、始動口への入球を契機として、通常遊技より遊技者に有利な状態である特別遊技へ移行するか否かを判定するための当否抽選を実行する当否抽選手段と、当否抽選が特別遊技へ移行する結果となった場合に特別遊技を実行する特別遊技制御手段と、当否抽選の結果を示すための図柄が変動表示される図柄表示装置と、当否抽選の結果と図柄の変動過程が定められた変動パターンとの対応関係が互いに異なる複数の変動パターンテーブルを保持し、複数の変動パターンテーブルのうち一つを参照して、当否抽選の結果に対応する変動パターンを選択する変動パターン決定手段と、選択された変動パターンにしたがって図柄を図柄表示装置にて変動表示させる図柄制御手段と、特別遊技の終了後から当否抽選の回数が所定の第１の終期回数に達するまで、あらたに特別遊技を獲得する容易性が通常状態より有利となる状態である特定遊技状態に移行させる特定遊技実行手段と、図柄の変動表示中に実行すべき演出内容が各々定められた複数の演出パターンを保持するパターン記憶手段と、変動パターンと図柄の変動表示中に実行すべき演出パターンとの対応関係が各々定められた複数の演出パターンテーブルのうち一つを参照して、当否抽選の結果を示す図柄の変動表示中に実行すべき演出パターンを選択する演出決定手段と、決定された演出パターンにしたがって演出を実行する演出実行手段と、を備える。複数の演出パターンテーブルは、通常状態において参照される通常演出パターンテーブルと、通常演出パターンテーブルとは演出パターンの選択傾向が異なるよう変動パターンと演出パターンとの対応関係が定められた特定演出パターンテーブルと、を含む。演出決定手段は、第１の終期回数以下の範囲で第２の終期回数を設定するとともに、特別遊技の終了後から特定演出パターンテーブルを参照して演出パターンを選択する特定演出状態とし、図柄の変動回数が第２の終期回数に達したときと、当否抽選が特別遊技へ移行する結果となったときと、のうち早い方となったとき、特定演出状態を終了させ、特定演出パターンテーブルは、第１特定演出パターンテーブルと第２特定演出パターンテーブルとを含み、演出決定手段は、特定演出状態において、特別遊技の終了後から図柄の変動回数が所定回数に達するまでは第１特定演出パターンテーブルを参照して演出パターンを選択し、図柄の変動回数が所定回数に達してから第２の終期回数に達するまでは第２特定演出パターンテーブルを参照して演出パターンを選択する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】０１３８
【補正方法】変更
【補正の内容】
【０１３８】
（変形例）
上記実施例では、第１特別図柄１９２および第２特別図柄１９３という複数の特別図柄が設けられたぱちんこ遊技機について説明した。変形例では、始動入賞口および特別図柄が１つずつしか設けられていない、いわゆる１種のぱちんこ遊技機が採用される。
ある態様の弾球遊技機は、遊技領域が形成された遊技盤と、遊技領域の所定位置に設けられ、遊技球が入球可能な始動口と、始動口への入球を契機として、通常遊技より遊技者に有利な状態である特別遊技へ移行するか否かを判定するための当否抽選を実行する当否抽選手段と、当否抽選が特別遊技へ移行する結果となった場合に特別遊技を実行する特別遊技制御手段と、当否抽選の結果を示すための図柄が変動表示される図柄表示装置と、当否抽選の結果と図柄の変動過程が定められた変動パターンとの対応関係が互いに異なる複数の変動パターンテーブルを保持し、複数の変動パターンテーブルのうち一つを参照して、当否抽選の結果に対応する変動パターンを選択する変動パターン決定手段と、選択された変動パターンにしたがって図柄を図柄表示装置にて変動表示させる図柄制御手段と、特別遊技の終了後から当否抽選の回数が所定の第１の終期回数に達するまで、あらたに特別遊技を獲得する容易性が通常状態より有利となる状態である特定遊技状態に移行させる特定遊技実行手段と、図柄の変動表示中に実行すべき演出内容が各々定められた複数の演出パターンを保持するパターン記憶手段と、変動パターンと図柄の変動表示中に実行すべき演出パターンとの対応関係が各々定められた複数の演出パターンテーブルのうち一つを参照して、当否抽選の結果を示す図柄の変動表示中に実行すべき演出パターンを選択する演出決定手段と、決定された演出パターンにしたがって演出を実行する演出実行手段と、を備えてもよい。複数の演出パターンテーブルは、通常状態において参照される通常演出パターンテーブルと、通常演出パターンテーブルとは演出パターンの選択傾向が異なるよう変動パターンと演出パターンとの対応関係が定められた特定演出パターンテーブルと、を含む。演出決定手段は、所定の終期回数設定基準に基づいて第１の終期回数以下の範囲で第２の終期回数を設定するとともに、特別遊技の終了後から特定演出パターンテーブルを参照して演出パターンを選択する特定演出状態とし、図柄の変動回数が第２の終期回数に達したときと、当否抽選が特別遊技へ移行する結果となったときと、のうち早い方となったとき、特定演出状態を終了させてもよい。
「あらたに特別遊技を獲得する容易性が通常状態より有利となる状態」とは、当否抽選の結果が特別遊技への移行を示すものとなる確率を前記通常状態よりも高めた状態である確率変動状態であってもよい。特定演出パターンテーブルは、含まれる複数の演出パターンの各々が、例えば「バトルモード」など、ある共通の観念での関連性を互いに有する演出を実行するものであってもよい。また、特定演出パターンテーブルに含まれる演出パターンは、通常演出パターンテーブルに含まれる演出パターンの実行時に登場するキャラクタと異なるキャラクタが登場する演出内容が定められたものであってもよい。
さらに、特定演出パターンテーブルは、特定演出状態中の図柄の変動回数に応じて演出パターンの選択傾向を変化させるよう設けられていてもよい。例えば、特定演出パターンテーブルを参照して所定回数演出パターンを選択するまでは特定のキャラクタが登場する演出パターンが選択されず、当該所定回数後演出パターンを選択したときにはじめてそのキャラクタが登場する演出パターンが選択可能となるよう設けられていてもよい。
この態様によれば、確変などの特定遊技状態への移行と並行して特定演出状態へ移行させ、この特定演出状態となる期間を、特定遊技状態に移行するたびに異ならせることができる。このため、特定演出状態となっている期間の終了に合わせて特定遊技状態も終了しているかのように遊技者に思わせることができ、特定演出状態となっている期間の長さに遊技者を傾注させることができる。こうして、遊技者に「長い間特定演出状態が継続して欲しい」と思わせることができ、特定遊技状態に対する期待度に変化を与えることができる。
終期回数設定基準は、前回の特定演出状態中において図柄の変動回数が第２の終期回数に達する前に当否抽選が特別遊技への移行を示す結果となったとき、図柄の第２の終期回数までの残りの変動回数が多いほど、回数の多い第２の終期回数が次に選択されるよう、特定演出状態中における図柄の第２の終期回数までの残りの変動回数と第２の終期回数との対応関係が定められていてもよい。
この態様によれば、特定演出状態において図柄の変動回数が第２の終期回数に達する前に当否抽選が特別遊技への移行を示す結果となったときであっても、第２の終期回数までの残り回数に応じた回数が次回において補填されるよう第２の終期回数が設定されることになる。このため、遊技者に「損をしなくて済んだ」または「早く大当りとなったため得をした」と思わせることができ、特定演出状態中のいつ当否抽選が特別遊技への移行を示す結果となるかに遊技者の注意を向けることができる。
遊技領域の所定位置に設けられ、当否抽選の結果に応じて開放され、遊技球の入球が賞球払い出しの契機となる大入賞口をさらに備えてもよい。当否抽選の結果が、大入賞口の開放を伴う単位遊技を１回含み大入賞口の開放が所定の開放基準時間未満の時間だけなされる小当り遊技へ移行する結果となった場合に、通常遊技において小当り遊技を実行する小当り遊技制御手段をさらに備えてもよい。特定演出パターンテーブルは、小当り遊技が実行されることを報知する演出内容の演出パターンを含んでもよい。
この態様によれば、特定演出状態中において小当たり遊技において開放された大入賞口に入球させることができるよう遊技者を促すことができ、遊技者に賞球の獲得機会を与えることができる。このため、遊技者へのメリットを特定演出状態に持たせることができ、特定演出状態の期間を示す第２の終期回数に対する遊技者の関心を高めることができる。
当否抽選の結果と図柄の変動過程が定められた変動パターンとの対応関係が互いに異なる複数の変動パターンテーブルを保持し、複数の変動パターンテーブルのうち一つを参照して、当否抽選の結果に対応する変動パターンを選択する変動パターン決定手段をさらに備えてもよい。複数の変動パターンテーブルは、通常状態において参照される通常変動パターンテーブルと、通常変動パターンテーブルとは変動パターンの選択傾向が異なるよう当否抽選の結果と変動パターンとの対応関係が定められた特殊変動パターンテーブルと、を含んでもよい。変動パターン決定手段は、特定演出状態中は特殊変動パターンテーブルを参照して変動パターンを選択してもよい。
この態様によれば、図柄の変動パターンも通常状態に比べ傾向を異ならせることができる。このため、特定演出状態と通常状態との差異をさらに明確にすることができ、特定演出状態から通常状態への移行を遊技者にさらに把握し易くすることができる。